(57)【要約】【課題】  手腕被覆体に伸縮領域を設けることによって、編物製品の伸縮性又はレザー等の素材自体の伸縮性に頼らずとも、着脱がスムーズで長時間装着しても使用者に圧迫感を与えず作業性等が良好で、且つファッション性に優れた手腕被覆体を提供することを目的とする。【解決手段】  手腕被覆体の一部或いは全面にプリーツ加工を施すことによって縦方向及び／又は横方向の寸法縮率が２５％以上５５％以下である伸縮領域を設け、伸縮領域自体の伸縮性を利用して手腕被覆体の着脱及び良好な装着状態を維持することを可能とし、且つ施されたプリーツにより腕被覆体のファッション性の向上が図られる。【選択図】  図１
2005171438.tif 000002
【特許請求の範囲】
【請求項１】
プリーツ加工が施された手腕被覆体であって、前記プリーツ加工が施されることにより伸縮領域が形成され、前記伸縮領域における縦方向及び／又は横方向の寸法縮率が２５％以上５５％以下であることを特徴とする手腕被覆体。
【請求項２】
前記伸縮領域が全面に設けられたことを特徴とする請求項１に記載の手腕被覆体。
【請求項３】
前記手腕被覆体が手部と裾部とからなる短手袋であって、前記手部の全面に前記伸縮領域を有することを特徴とする請求項１に記載の手腕被覆体。
【請求項４】
手部及び裾部の全面に前記伸縮領域を有することを特徴とする請求項３に記載の手腕被覆体。
【請求項５】
前記手腕被覆体が手部及び腕部とからなる長手袋であって、前記手部全面に前記伸縮領域を有することを特徴とする請求項１に記載の手腕被覆体。
【請求項６】
手部及び腕部全面に前記伸縮領域を有することを特徴とする請求項５に記載の手腕被覆体。
【請求項７】
前記手腕被覆体が筒状腕部被覆体であることを特徴とする請求項１又は２に記載の手腕被覆体。
【発明の詳細な説明】
【技術分野】
【０００１】
本発明は、手部、腕部、又は手部及び腕部を被覆するプリーツ加工が施された手腕被覆体に関し、詳しくは、プリーツ加工が施されることにより少なくとも一部に特定の寸法縮率の伸縮領域を有する手腕被覆体に関する。
【背景技術】
【０００２】
従来の手袋や筒状の腕部被覆体（所謂アームウォーマー）等の手腕被覆体は、ウールやコットン等を用いて製造された伸縮性を発揮する編物又はレザー等のように素材自体が伸縮性を発揮するものにより形成され、該伸縮性を利用して手部又は腕部に着脱し、また装着位置の手腕被覆体のずれや装着部からの落下を防止していた。
【０００３】
従って手腕被覆体は、編物又はレザー等の素材自体の伸縮性により装着部への着脱、及び装着位置のずれや装着部からの落下の防止が図られていることから、これまで特に縦方向及び横方向に伸縮性の乏しい織物は手腕被覆体を形成する素材としては適切でないと考えられていた。
【０００４】
しかし編物又はレザー等の素材自体の伸縮性を利用して手部又は腕部に着脱させ、また装着位置のずれや装着部からの落下を防止する手腕被覆体では、装着部のサイズに適切な寸法が選択されない場合に使用者に以下の不具合を与えていた。即ち、装着部のサイズに適切な寸法を下回る小さめのサイズの手腕被覆体を装着する場合に、装着部への該被覆体の着脱が困難であり、また装着時において該被覆体と装着部との密着性が著しく向上し、長時間装着していると使用者に圧迫感を与えるという問題があった。一方、装着部のサイズに適切な寸法を上回る大きめのサイズの手腕被覆体を装着した場合に、該被覆体と装着部との密着性が低下し、該被覆体の装着位置のずれが生じ、作業性が低下し、或いは該被覆体が装着部から落下する危険性があった。
【０００５】
上述の問題に対して、手袋と装着部との間に適度な隙間を設け、且つ装着位置のずれ、作業性の低下、或いは装着部からの落下の危険性を防止するために、開口部に締め付け機構を設けた作業用手袋が提案されている（例えば特許文献１）。該作業用手袋は、ゴム若しくは軟質合成樹脂にて成形した作業用手袋であって、開口部に挿通孔を設け、該挿通孔に締め紐を通して開口部の外周面に沿って輪状に装着せしめ、予備的に開口部の円周方向に伸縮するひだを形成することによって、手袋の落下等を防止するものである。
【０００６】
しかし上記開口部に締め付け機構を有する手袋では、着脱の度に締め付け機構に設けられた紐を緩める操作と締め上げる操作とを行わなければならず着脱行為が非常に煩雑であった。また締め付け部分を有する開口部と装着部との接触部分においてのみ手袋の装着状態の維持が図られるため、該接触部における密着性が著しく高くなり、該接触部において発汗が生じたり、体にくい込んで締め付け部分の跡が体に残ったりする等の不具合があった。
【０００７】
ところで近年、手腕被覆体は、冬季の防寒目的や作業時の手の保護として用いられるだけでなく、夏季の冷房に対する防寒目的、日焼け防止、ファッションとしての装着等、一年を通じて多目的に用いられるようになった。このような状況下において、ファッションとして装着される手腕被覆体のファッション性はもちろんのこと、防寒目的、日焼け防止目的、手の保護等を主目的として用いられる手腕被覆体に対しても、より優れたファッション性が求められるようになってきている。
【０００８】
しかし、手腕被覆体を形成するために一般的に用いられるウール、コットン、レザー等の天然素材では、化学合成繊維と比較して一般に染色性が悪く又プリントにより所望の絵柄を得ることが難しいため、上記染色や印刷以外の手段によりさらなる装飾が加えられたファッション性の高い手腕被覆体が求められていた。
【０００９】
また上述のとおり、織物は伸縮性に乏しく手腕被覆体を形成する素材として用いることができないと考えられていたため、手腕被覆体の素材として選択される範囲が限定され、これによって手腕被覆体のバリエーションが限定されてしまうという問題があった。
【特許文献１】特開平１１−２８６８０９号公報
【発明の開示】
【発明が解決しようとする課題】
【００１０】
本発明は、上記問題を鑑みてなされたもので、編物若しくは素材自体の伸縮性又は開口部の締め付け機構によらずとも、スムーズに着脱ができ、装着時の密着性が良く且つ長時間装着しても使用者に圧迫感を与えず、更には手腕被覆体の寸法が不適切なことにより該被覆体と装着部との密着性が低下して装着位置のずれが生じ、作業性か低下し、或いは装着部から落下する恐れがない手腕被覆体を提供することを目的とする。
【００１１】
また本発明の目的は、伸縮性に優れた編物若しくはレザー等の素材又は伸縮性の無い、或いは伸縮性の乏しい織物のいずれによっても形成され得る手腕被覆体を提供することにある。
【００１２】
本発明の更なる目的は、手腕被覆体に更に装飾性を付与することによって、ファッション性の高い手腕被覆体を提供することにある。
【課題を解決するための手段】
【００１３】
本発明者らは、上記課題を解決するため鋭意研究を行った結果、プリーツ加工を施されることにより特定の寸法縮率の伸縮領域が設けられた被覆体であれば、上記課題を克服し得ることを見出した。
【００１４】
即ち、本発明の手腕被覆体は、プリーツ加工が施された手腕被覆体であって、前記プリーツ加工が施されることにより伸縮領域が形成され、前記伸縮領域における縦方向及び／又は横方向の寸法縮率が２５％以上５５％以下であることを要旨とするものである。
【００１５】
また本発明の手腕被覆体は、前記伸縮領域が全面に設けられていてもよい。
【００１６】
本発明の手腕被覆体は、手部と裾部とからなる短手袋であって、前記手部の全面、或いは前記手部及び前記裾部の全面に前記伸縮領域を有して構成されてもよい。
【００１７】
また本発明の手腕被覆体は、手部及び腕部とからなる長手袋であって、前記手部全面、或いは前記手部及び前記腕部の全面に前記伸縮領域を有して構成されてもよい。
【００１８】
また更には、本発明の手腕被覆体は筒状腕部被覆体であって、前記筒状腕部被覆体の一部、或いは全面に前記伸縮性領域を有して構成されてもよい。
【００１９】
尚、本発明における「手腕」とは、左右の肩から出た肢、即ち肩から指先までの部分であって、手部と腕部とからなる部分をいう。また「手腕被覆体」とは、上記手腕の全体又は一部を被覆する被覆体のことをいい、上記「手部」とは、左右の肩から出た肢のうち手首から指先までの部分を指し、又上記「腕部」とは、左右の肩から出た肢のうち肩から手首までの部分を指す。
【発明の効果】
【００２０】
本発明によれば、手腕被覆体に、プリーツ加工を施すことにより特定の寸法縮率の伸縮領域を設けることによって、上記伸縮領域の伸縮性を利用して装着部への手腕被覆体の着脱を可能とし、また手腕被覆体と装着部との密着が図られる。これにより着脱がし易く、また該被覆体と装着部において高い密着性を維持し、作業性に優れ、且つ装着感に優れ、長時間装着しても圧迫感を感じることない手腕被覆体を提供することが可能である。
【００２１】
本発明の手腕被覆体は、上記プリーツ加工によって得られた特定の寸法縮率の伸縮領域を有することにより、開口部分に締め付け機構を設けずとも装着部との密着が図られるため、締め付け機構を備える部分における発汗や締め付け部の跡が体に残るといった不具合が生じることがない。
【００２２】
特に、本発明の手腕被覆体は、伸縮領域に形成されるプリーツが存在することにより、該領域における手腕被覆体の表面積が拡大し、またプリーツの山部分において、装着部である手腕と手腕被覆体裏面との間に空気層が形成されるため、高い密着性を維持しつつ優れた通気性を発揮するものである。従来の編物により製造されている手腕被覆体では、装着部と該被覆体の裏面とがピッタリと密着しており、装着中にしばしば蒸れて使用者に不快感を与えていたが、本発明の手腕被覆体であれば、上述のとおり通気性が向上しているため、使用時の蒸れが生じない点でも優れている。
【００２３】
また、本発明の手腕被覆体は、編物、素材自体の伸縮性又は開口部の締め付け機構に頼らず、伸縮領域の伸縮性を利用して装着部へ着脱され、また手腕被覆体と装着部との密着が図られて装着位置のずれや装着部からの落下が防止されるので、これまで手腕被覆体に用いることのできなかった織物を手腕被覆体に用いることが可能となった。従って、本発明によれば、手腕被覆体の素材をより広い範囲から選択することが可能である。
【００２４】
加えて本発明によれば、伸縮領域において形成されるプリーツ自体が発揮する外観上の美観を手腕被覆体において発揮せしめることが可能であるため、更にファッション性の高い手腕被覆体を提供することができ、染色性に乏しく、絵柄プリントに適さないレザー等の天然素材を用いた手腕被覆体においても従来にない風合いを発揮せしめることができる。
【００２５】
上記種々の効果を有する本発明の手腕被覆体であれば、高い密着性により着脱及び着用位置の維持に優れ、且つ使用者に快適な装着感を与えることができる上、ファッション性にも優れているので、女性用のみならず男性用手腕被覆体としても幅広く利用することができる。また本発明の手腕被覆体は、柔らかい装着感でありながら高い密着性により落下することがないため、乳幼児用の手腕被覆体としても非常に優れている。
【発明を実施するための最良の形態】
【００２６】
本発明は、プリーツ加工が施されることにより特定の寸法縮率を有する伸縮領域が設けられた手腕被覆体に関する。例図の図面を用いて、以下に本発明を更に詳細に説明する。
【００２７】
図１は、本発明の手腕被覆体の第一の実施態様を示す平面略図である。図1に示される手腕被覆体は短手袋型手腕被覆体Ａ１であって、５本の指を独立に被覆する指部４を備える手部１及び裾部２が設けられて構成されており、指部４を除く手部１全体に縦方向に均一且つ一定縮率のプリーツ加工が施されることにより伸縮領域３が設けられ、伸縮領域３が設けられた手部１における横方向の寸法縮率が２５％以上５５％以下になるよう構成されている。
【００２８】
図２は、本発明の手腕被覆体の第二の実施態様を示す平面略図である。図２に示される手腕被覆体は短手袋型手腕被覆体Ａ２であって、５本の指を独立に被覆する指部４を備える手部１及び裾部２により構成されており、短手袋型手腕被覆体Ａ２全面に縦方向（即ちラインａ方向）及び横方向（即ちラインｂ方向）に均一且つ一定縮率のプリーツ加工が施されることにより伸縮領域３が形成され、手部１及び裾部２における縦方向及び横方向の寸法縮率が２５％以上５５％以下になるよう構成されている。また図３に示されるプリーツ加工前の短手袋型手腕被覆体Ａ３は、短手袋型被覆体Ａ２のプリーツ加工前の状態を示す平面略図である。
【００２９】
図４は、本発明の手腕被覆体の第三の実施態様を示す平面略図である。図４に示され
る手腕被覆体は、長手袋型手腕被覆体Ａ４であって、５本の指を独立に被覆する指部４を備える手部１と腕部５とからなり、手部１全面に、縦方向に均一且つ一定縮率のプリーツ加工が施されることにより伸縮領域３が形成され、手部１における横方向の寸法縮率が２５％以上５５％以下になるよう構成されている。
【００３０】
図５は、本発明の手腕被覆体の第四の実施態様を示す平面略図である。図５に示される手腕被覆体は、長手袋型手腕被覆体Ａ５であって、親指と親指以外の指とを独立に被覆し且つ先端部が袋状ではなく開口部が設けられている指部４を備える手部１及び腕部５より構成されており、長手袋型手腕被覆体Ａ５全面において縦方向に均一且つ一定縮率のプリーツ加工が施されることにより形成された伸縮領域３ａ及びランダムにしわ状のプリーツ加工が施されることにより形成された伸縮領域３ｂとが形成され、これにより、伸縮領域３ａが施された部分において横方向の寸法縮率が２５％以上５５％以下になり、また伸縮領域３ｂが施された部分において縦方向及び横方向の寸法縮率が２５％以上５５％以下になるよう構成されている。
【００３１】
図６は、本発明の手腕被覆体の第五の実施態様を示す平面である。図６に示される手腕被覆体は、筒状腕部被覆体Ａ６であって、両端部に縦方向に均一且つ一定縮率のプリーツ加工が施されることにより形成された伸縮領域３ａ及び上記両端部間において波状の均一且つ一定縮率のプリーツ加工が施されることにより形成された伸縮領域３ｂが形成され、これにより、筒状腕部被覆体Ａ６全体において横方向の寸法縮率が２５％以上５５％以になるよう構成されている。
【００３２】
本発明の手腕被覆体の実施形態を図面を用い手腕被覆体Ａ１〜Ａ６を例示して説明したが、本発明の手腕被覆体の形態はこれらに限定されるものではない。本発明の手腕被覆体は、肩から指先の少なくとも一部を被覆することのできる形態であればよく、例えば上述したＡ１〜Ａ６以外にも、短手袋であって指部がない形態、手首から指先部分にかけて全体を被覆し且つ親指部分と他の指とを分離して被覆する所謂ミトン型、長手袋であって上記ミトン型、或いは腕部のみを被覆する筒状腕部被覆体であって肩から手首までの任意の位置に長さが調整されたもの等がある。
【００３３】
本発明における伸縮領域について、以下に更に詳細に説明する。本発明の手腕被覆体は、プリーツ加工が施されることにより縦方向及び／又は横方向の寸法縮率が２５％以上５５％以下、好ましくは３０％以上５０％以下の伸縮領域を少なくとも一部に有する。即ち、上記伸縮領域は、縦方向（肩と指先とを結ぶ方向）において、或いは横方向（上記縦方向に対して垂直な方向）において、或いは縦方向及び横方向の両方において上記範囲の寸法縮率を示す領域であれば良い。上述のうち特に縦方向又は横方向のどちらか一方向においてのみ２５％以上５５％以下の寸法縮率が示される領域では、もう一方向の寸法縮率が０％以上５５％未満であることが望ましい。また縦方向及び横方向の両方において上記範囲の寸法縮率を示す伸縮領域が設けられる場合は、該縦方向の寸法縮率と該横方向の寸法縮率とは同じであってもよいし、異なっていてもよい。伸縮領域の寸法縮率を２５％以上にすることによって、手腕被覆体と装着部との確実な密着性が維持され装着中のずれや装着部からの落下を良好に防止することができる。また伸縮領域の寸法縮率を５５％以下にすることによって長時間装着しても使用者に圧迫感を与えることがない。
【００３４】
本発明における手腕被覆体の一部に設けられる伸縮領域は、該手腕被覆体の任意の部分に設けられてよい。例えば手腕被覆体における手部の一部において外周全体にわたって設けられてもよいし、手の甲部分全面に設けられてもよいし、手のひら部分全面に設けられてもよい。また一手腕被覆体において、伸縮領域を複数箇所に設けてもよく、例えば、短手袋において指部と裾部の両部分において、また長手袋の開口部分と手部の両部分において伸縮領域が設けられていてもよい。本発明における伸縮領域は、少なくとも装着部への手腕被覆体の着脱を可能とし及び装着位置のずれや装着部からの落下を防止する程度に設けられていることが重要である。
【００３５】
本発明における寸法縮率とは、プリーツ加工前の一定ライン上における手腕被覆体の長さに対するプリーツ加工後の上記一定ライン上における手腕被覆体の長さの収縮率を意味する。ここで、上述の手腕被覆体の長さは、手腕被覆体を平面上に手のひら部分又は手の甲部分が上面になるように配置し外力を加えない状態で測定される外観上の長さをいう。
【００３６】
ここで寸法縮率に関して、図２に示されるプリーツ加工が施された本発明の短手袋型手腕被覆体Ａ２と、短手袋型手腕被覆体Ａ２のプリーツ加工前の状態を示す図３に記載のプリーツ加工前の短手袋型手腕被覆体Ａ３とを用いて更に具体的に説明する。上記短手袋型手腕被覆体Ａ２の縦方向の寸法縮率は、ラインａの長さと、該ラインと同一ラインであるプリーツ加工前の短手袋型手腕被覆体Ａ３におけるラインａ’の長さを測定し、ラインａ’の長さに対するラインａの長さの収縮の割合を算出することにより求められる。短手袋型手腕被覆体Ａ２の横方向の寸法縮率に関しても、ラインｂとラインｂ’を測定することにより上述と同様に求めることができる。
【００３７】
本発明の手腕被覆体は、少なくとも一部に特定の寸法縮率を示す伸縮領域を有し、これにより装着部への着脱を容易にし、装着位置の維持が図られ、作業性が良好であり、また使用感に優れ長時間利用しても使用者に圧迫感を与えない上、上記伸縮領域に形成されるプリーツの外観上の美しさが手腕被覆体に付与されるためファッション性にも優れている。
【００３８】
本発明に用いられる素材としては、プリーツ加工が可能な素材であれは特に制限されることなく用いることができる。具体的には、ポリエステル、ナイロン、アクリル、アセテート、トリアセテート等の化学合成繊維を用いて製造される織物若しくは編物、ウール、コットン、麻、絹等の天然繊維を用いて製造される織物若しくは編物、レザー、及び合成皮革等を本発明の手腕被覆体の素材として用いることができる。
【００３９】
上記ポリエステル等の化学合成繊維を用いて製造される織物若しくは編物は、良好なプリーツが容易に形成され且つ該良好なプリーツの形状が長期間維持され、更に染色性、プリント適性に優れているため、所望のデザインの手腕被覆体を形成することができるという点で特に優れている。更にポリエステル等の化学合成繊維を用いることによって安価に薄手の手腕被覆体を形成することができ、夏季における冷房対策目的、日焼け防止目的等の使用に加えて、冬季においても防寒目的やファッションとして、特にノースリーブや半袖と組み合わせても使用することができ、一年を通じて多目的に利用することのできる手腕被覆体を提供することが可能である点でも非常に優れている。
【００４０】
また染色やプリントが困難であったレザー等の天然素材を用いて手腕被覆体を形成した場合でも、プリーツ加工が施されることによりファッション性の高い手腕被覆体を提供することができるという点もまた本発明の非常に優れた性質の１つである。
【００４１】
本発明の素材として用いることのできる上記化学合成繊維織物又は編物としては、化学合成繊維１００％であってもよいし、或いは他の素材との混合により形成された混合織物又は編物であってもよい。上記混合織物又は編物としては、化学合成繊維が約５０％以上１００％未満の量で混合されていることが好ましく、約７０％以上１００％未満であることがより好ましい。混合織物においてポリエステル繊維等の上記化学合成繊維が約５０％以上混合されることによって、混合される他の繊維の性質によらず良好なプリーツ形成が可能となり、また形成されたプリーツを長期間維持することができるので好ましい。また混合織物の形成には、プリーツ加工が可能な化学合成繊維を１つ或いは任意選択で複数を用いることができ、一方上記化学合成繊維と混合される他の素材として、プリーツ加工時における加熱温度に耐えることのできる繊維を１つ或いは任意選択により複数用いることができる。
【００４２】
上述のプリーツ加工が可能な素材としては、プリーツ加工の際に行われる熱処理に耐え得る程度の耐熱性を有する素材が求められる。具体的には、本発明の手腕被覆体に用いられる素材の耐熱性は約１５０℃以上であることが好ましく、約１８０℃以上であることがより好ましい。素材の耐熱性が約１５０℃以上であれば、プリーツ加工の際の加熱により素材が溶融して切断され、或いはプリーツ形状を維持することが困難な程度まで溶融されることがなくプリーツ加工時の加熱に充分耐えることができ、良好なプリーツを形成することが可能である。
【００４３】
またプリーツ加工が可能な素材には、更にプリーツ加工に適した厚みであることが求められる。本発明の手腕被覆体に用いられる素材の上記厚みには、用いられる素材と加工されるプリーツ形状とから適宜決定されるが、一般的には、良好な形状のプリーツを形成するためには、約３．０ｍｍ以下であることが好ましく、約２．０ｍｍ以下であることがより好ましい。尚、上記厚みは、プリーツ加工が施される状態において測定される厚みを意味するため、先に手腕被覆体の形状を形成し次いで該手腕被覆体にプリーツ加工を施す場合には、生地の重なりを考慮し、重なり部分の各素材の厚みの和が上記範囲であることが必要である。例えば、手腕被覆体を形成後にプリーツ加工を施す場合において、手の甲、手のひら、親指前及び親指後ろの４つの部分が重なる領域を有する場合には、素材一枚の厚みは、０．６ｍｍ以下であることが好ましく、０．５ｍｍ以下であることがより好ましい。
【００４４】
本発明の手腕被覆体の形成工程は、特に限定されないが、例えば手腕被覆体の各パーツを原反から裁断し、裁断されたパーツを縫製又は溶融接着等により手腕被覆体の形状に形成し、次いで上記形成された手腕被覆体にプリーツ加工を施して形成することができる。この製法によれば、一度のプリーツ加工において手袋全体にプリーツを形成することができるため工程が簡易であり、また手腕被覆体において重なり合う生地に一様なプリーツが形成されるため該プリーツの形状が重ね合わされて生地の嵩張りが減少するので、コンパクトであって収納性の向上した手腕被覆体が形成される点で特に優れている。
【００４５】
また別の形成工程では、原反にまずプリーツ加工を施し、プリーツ加工が施された素材から手腕被覆体のパーツを裁断し、次いで裁断されたパーツを縫製又は溶融接着等により手腕被覆体の形状に形成することができる。この製法によれば、筒状腕部被覆体のように形状が比較的単純で、縫製が簡易な手腕被覆体を形成する場合に特に適している。また一部のパーツにのみプリーツ加工が施された手腕被覆体を形成する場合にも適しており、例えば手の甲部分のパーツのみプリーツ加工された原反から裁断し、他の部分のパーツは、プリーツ加工が施されていない原反から裁断し、次いでこれらの裁断パーツを縫製等することによって、手の甲部分にのみプリーツ加工の施された手腕被覆体を容易に形成することができる。
【００４６】
またさらなる別の形成工程では、手腕被覆体の各パーツを原反から裁断し、裁断された各パーツにプリーツ加工を施し、次いで縫製又は溶融接着等により手腕被覆体の形状に形成することができる。この製法によれば、筒状腕部被覆体のように形状が比較的単純で、縫製が簡易な手腕被覆体を形成する場合に適している。また一部のパーツにのみプリーツ加工が施された手腕被覆体を形成するのにも適しており、例えば各パーツを裁断し、手の甲部分の裁断パーツにのみプリーツ加工を施し、次いで上記各パーツを縫製等することよって、手の甲部分にのみプリーツ加工の施された手腕被覆体を容易に形成することができる。
【００４７】
本発明において形成されるプリーツは、プリーツ加工方法として知られている一般的な方法を用いて形成することができる。一般的なプリーツ形成方法としては、マシーンプリーツ加工方法、ハンドプリーツ加工方法及び手加工等が知られており、特にマシーンプリーツ加工方法であれば、細かくシャープなプリーツを形成することができるため好ましい。
【００４８】
上記マシーンプリーツ加工に用いられるプリーツマシーンは、例えばサイドプリーツマシーン、細かいアコーディオンプリーツを形成するクリスタルプリーツマシーン、マジョリカプリーツマシーン等のように特定のプリーツを形成することのできる各種のマシーンが知られている。これらプリーツマシーンは、原反や裁断パーツ等の被プリーツ加工体を型紙に挟み、該型紙に挟まれた被プリーツ加工体を加熱ローラーへと送り込むための送り込み機構、加熱ローラー、及び巻き取りと型紙の剥離機構を備えるタイプ、或いは単独の被プリーツ加工体を加熱ローラーへと送り込むための送り込み機構、加熱ローラー、及び巻き取り機構を備えるタイプ等がある。
【００４９】
例えば、図７及び８に示されるプリーツマシーンは、被プリーツ加工体である手腕被覆体Ａ’又は原反９の上下面を型紙６で挟む機構、及び該型紙に挟まれた被プリーツ加工体（手腕被覆体Ａ’又は原反９）を加熱しひだつけを行う加熱ローラー７を備え、更にローラー７から排出されたプリーツ加工品を巻き取るための巻き取り機構（図示せず）を備えてなる。
【００５０】
図７及び８を用いてマシーンプリーツ加工の一例を説明すると、プリーツ加工前の手腕被覆体Ａ’を型紙６に挟み、加熱ローラーへ送り込む工程、加熱ローラー７により上記型紙に挟まれた手腕被覆体Ａ’を加熱しひだをつけながら熱セットする工程、プリーツ成形品８を排出し巻き取り機構により巻き取る工程、及び型紙と手腕被覆体とを剥離する工程とにより、プリーツの施された手腕被覆体を形成することができる。また上記プリーツ加工前の手腕被覆体Ａ’のかわりに原反９を用いることによって、原反に直接プリーツを加工することができ、該プリーツ加工された原反を裁断して手腕被覆体を形成することもできる。
【００５１】
本発明における伸縮領域３を形成するプリーツの形状としては、一般的なプリーツ加工により形成することができるプリーツ形状であれば、特に限定されず用いることができ、例えば図９に例示されるサイドプリーツ、図１０に例示されるボックスプリーツ、図１１に例示されるアコーディオンプリーツ、しわ加工等の種々の形態のプリーツを単一で又は組み合わせで用いることができる。即ち、手腕被覆体において２５％以上５５％以下の寸法縮率を示す伸縮領域を形成し得るプリーツであれば、任意に本発明の手腕被覆体に加工することができる。従って所望のデザインを勘案して1種又は複数種の形態のプリーツを手腕被覆体に加工形成することによりファッション性の高い手腕被覆体を提供することができる。
【００５２】
また上述のように１つの手腕被覆体に対して異なるプリーツ形状を組み合わせて施す場合には、複数のプリーツを同時に形成し得るプリーツマシーンにより一度のプリーツ加工により所望のプリーツを形成せしめてもよいし、或いは1種の形状のプリーツ加工を施した後に、異なるプリーツマシーンにより別の形状のプリーツ加工を更に施すこともできる。
【図面の簡単な説明】
【００５３】
【図１】本発明の手腕被覆体の一実施態様を示す平面略図である。
【図２】本発明の手腕被覆体の一実施態様を示す平面略図である。
【図３】プリーツ加工前の手腕被覆体を示す平面略図である。
【図４】本発明の手腕被覆体の一実施態様を示す平面略図である。
【図５】本発明の手腕被覆体の一実施態様を示す平面略図である。
【図６】本発明の手腕被覆体の一実施態様を示す平面略図である。
【図７】プリーツ加工マシーンの一例を示す側面概略図である。
【図８】プリーツ加工マシーンの一例を示す側面概略図である。
【図９】サイドプリーツ要部断面概略図である。
【図１０】ボックスプリーツ要部断面概略図である。
【図１１】アコーディオンプリーツ要部断面概略図である。
【符号の説明】
【００５４】
Ａ１  短手袋型手腕被覆体
Ａ２  短手袋型手腕被覆体
Ａ３  プリーツ加工前の短手袋型手腕被覆体
Ａ４  長手袋型手腕被覆体
Ａ５  長手袋型手腕被覆体
Ａ６  筒状腕部被覆体
Ａ’  プリーツ加工前の手腕被覆体
１    手部
２    裾部
３    伸縮領域
３ａ  伸縮領域
３ｂ  伸縮領域
４    指部
５    腕部
６    型紙
７    加熱ローラー
８    プリーツ形成品
９    原反
ａ    ライン
ａ’  ライン
ｂ    ライン
ｂ’  ライン
【図１】
2005171438.tif 000003
【図２】
2005171438.tif 000004
【図３】
2005171438.tif 000005
【図４】
2005171438.tif 000006
【図５】
2005171438.tif 000007
【図６】
2005171438.tif 000008
【図７】
2005171438.tif 000009
【図８】
2005171438.tif 000010
【図９】
2005171438.tif 000011
【図１０】
2005171438.tif 000012
【図１１】
2005171438.tif 000013